(57)【要約】【課題】優れた断熱性、気密性、止水性、施工性を確保しながらも、長期にわたって高い止水性を維持し得る耐久性に優れたコーナーパネルを提案する。【解決手段】芯材を外皮材と内皮材とによって挟み込んだサンドイッチ構造からなり、上継手を、隣接する壁パネルの下継手に嵌合させる一方、下継手を、隣接する別の壁パネルの上継手に嵌合させることにより、出隅を形成するコーナーパネルにおいて、前記上継手を継手本体と、鉤状片と、カーリング部とを備えたもので構成し、前記下継手を、溝部と、オーバーハング部と、陸部からなるもので構成する。【選択図】図１
2020094462.tif 000002
【特許請求の範囲】
【請求項１】
芯材を外皮材と内皮材とによって挟み込んだサンドイッチ構造からなり、該外被材の一方の端部に設けられた上継手を、隣接する壁パネルの下継手に嵌合させる一方、該外皮材のもう一方の端部に設けられた下継手を、隣接する別の壁パネルの上継手に嵌合させることにより、隣接する壁パネル、隣接する別の壁パネルの相互間において出隅を形成するコーナーパネルであって、
前記外皮材は、前記隣接する壁パネルの外表面に沿う壁面を形成する第１の外側壁部と、該第１の外側壁部に屈曲部を介してつながり前記隣接する別の壁パネルの外表面に沿う壁面を形成する第２の外側壁部とを備え、
前記内皮材は、該第１の外側壁部に沿う第１の内側壁部と、該第１の内側壁部に屈曲部を介してつながり第２の外側壁部に沿う第２の内側壁部とを備え、
前記上継手は、該第１の外側壁部の端部につながり該隣接する壁パネルの下継手に覆い被さる継手本体と、該継手本体の先端部につながり該継手本体の裏側へと周り込む鉤状片と、該鉤状片の先端につながり該継手本体および該鉤状片の少なくとも一方のスプリングバックにより該隣接する壁パネルの下継手に嵌合可能なカーリング部からり、
前記下継手は、該第２の外側壁部の端部につながり該カーリング部と同一形状、同一サイズになるカーリング部の入れ込みを可能とする溝部と、該溝部内に迫り出して該カーリング部と同一形状、同一サイズになるカーリング部を嵌合させるオーバーハング部と、該オーバーハング部の基端につながり外皮材の外表面に沿う頂面を形成する陸部からなることを特徴とするコーナーパネル。
【請求項２】
前記カーリング部は、円形状、楕円形状、多角形状または矩形状の断面形状をなす曲げ加工片からなることを特徴とする請求項１に記載したコーナーパネル。
【請求項３】
前記内皮材は、前記下継手の対面側の端部に、隣接する別の壁パネルの凸部または凹部を嵌め込んで実継手を形成する凹部または凸部を有し、前記上継手の対面側の端部には、隣接する壁パネルの凹部または凸部に嵌り込んで実継手を形成する凸部または凹部を有することを特徴とする請求項１または２に記載したコーナーパネル。
【請求項４】
前記内皮材の、前記上継手の対面側の端部の凸部または凹部は、その上端に、隣接配置される他の壁パネルとの端面に当接可能な立ち上がり片を有することを特徴とする請求項３に記載したコーナーパネル。
【請求項５】
前記下継手は、前記陸部に隣接して設けられ、ドリルねじを打ち込んでコーナーパネルを下地材に固定する凹所を有することを特徴とする請求項１〜４のいずれか１項に記載したコーナーパネル。
【請求項６】
前記凹所は、前記陸部につながる側壁と、該側壁の下端につながり前記ドリルねじの座面を形成する底壁と、該底壁に起立姿勢でつながり下継手の端面を形成する垂直壁部からなることを特徴とする請求項５に記載したコーナーパネル。
【請求項７】
前記溝部は、前記外皮材の端部につながる傾斜側壁と、一端が該傾斜側壁の下端につながり他端が前記オーバーハング部の下端に該傾斜側壁とは逆勾配でつながる傾斜側壁からなることを特徴とする請求項１〜６のいずれか１項に記載したコーナーパネル。
【請求項８】
前記外皮材、前記内皮材は、亜鉛めっき鋼板、アルミニウム亜鉛合金めっき板、ステンレス鋼板、アルミニウム板、銅板またはそれらの塗装、被覆鋼板から選ばれるいずれか１種からなり、前記芯材は、発泡プラスチック系あるいは鉱物繊維系の断熱材からなることを特徴とする請求項１〜７のいずれか１項に記載したコーナーパネル。
【請求項９】
前記上継手の鉤状片は、前記カーリング部が隣接する壁パネルの下継手に嵌合した際に、該下継手との間で減圧空間を形成するものであることを特徴とする請求項１〜８のいずれか１項に記載したコーナーパネル。
【請求項１０】
前記芯材は、該下継手の末端に位置する端面および該上継手の末端に位置する端面を有することを特徴とする請求項１〜９のいずれか１項に記載したコーナーパネル。
【請求項１１】
前記芯材は、その端面に、前記上継手の基端に向けて迫り出した迫り出し部を有することを特徴とする請求項１０に記載したコーナーパネル。
【発明の詳細な説明】
【技術分野】
【０００１】
本発明は、建築構造物の壁のコーナー部、とくに出隅を形成するのに使用して好適なコーナーパネルに関するものである。
【背景技術】
【０００２】
二枚の金属板で断熱材を挟み込んだ積層構造からなるサンドイッチパネルは、軽量、高強度、高断熱で、かつ、長尺材を効率的に製造できるメリットを有しており、工場や倉庫、一般住宅あるいは畜舎等の建築構造物の外壁材や屋根材として広く採用されている。
【０００３】
とくに、外観上パネル固定用のねじ部材を隠すためのキャップを備えたサンドイッチパネルが知られており、この点に関する先行文献としては、例えば特許文献１、２が参照される。
【０００４】
ところで、壁パネルの相互間に配設されて出隅あるいは入隅を形成する従来のコーナーパネルにおいては、図１７に示すように、壁パネルとのつなぎ合わせ部位にシーリング材を充填して止水効果を高めるのが一般的であるところ、該シーリング材の紫外線による劣化は不可避であり、この種のパネルを用いた建築構造物にあっては、シーリング材の定期的な点検、打ち替えが必要になっておりその改善が求められていた。
【先行技術文献】
【特許文献】
【０００５】
【特許文献１】特許第３３７４０７２号公報
【特許文献２】特開２０１７−２０１９２号公報
【発明の概要】
【発明が解決しようとする課題】
【０００６】
本発明の目的は、優れた断熱性、気密性、施工性を確保しながらも、長期にわたって高い止水性を維持することができる耐久性に優れたコーナーパネルを提案するところにある。
【課題を解決するための手段】
【０００７】
本発明は、芯材を外皮材と内皮材とによって挟み込んだサンドイッチ構造からなり、該外被材の一方の端部に設けられた上継手を、隣接する壁パネルの下継手に嵌合させる一方、該外皮材のもう一方の端部に設けられた下継手を、隣接する別の壁パネルの上継手に嵌合させることにより、隣接する壁パネル、隣接する別の壁パネルの相互間において出隅を形成するコーナーパネルであって、
前記外皮材は、前記隣接する壁パネルの外表面に沿う壁面を形成する第１の外側壁部と、該第１の外側壁部に屈曲部を介してつながり前記隣接する別の壁パネルの外表面に沿う壁面を形成する第２の外側壁部とを備え、
前記内皮材は、該第１の外側壁部に沿う第１の内側壁部と、該第１の内側壁部に屈曲部を介してつながり第２の外側壁部に沿う第２の内側壁部とを備え、
前記上継手は、該第１の外側壁部の端部につながり該隣接する壁パネルの下継手に覆い被さる継手本体と、該継手本体の先端部につながり該継手本体の裏側へと周り込む鉤状片と、該鉤状片の先端につながり該継手本体および該鉤状片の少なくとも一方のスプリングバックにより該隣接する壁パネルの下継手に嵌合可能なカーリング部からなり、
前記下継手は、該第２の外側壁部の端部につながり該カーリング部と同一形状、同一サイズになるカーリング部の入れ込みを可能とする溝部と、該溝部内に迫り出して該カーリング部と同一形状、同一サイズになるカーリング部を嵌合させるオーバーハング部と、該オーバーハング部の基端につながり外皮材の外表面に沿う頂面を形成する陸部からなることを特徴とするコーナーパネルである。
【０００８】
上記の構成からなる建材パネルにおいて、
ａ．前記カーリング部は、円形状、楕円形状、多角形状または矩形状の断面形状をなす曲げ加工片からなること、
ｂ．前記内皮材は、前記下継手の対面側の端部に、隣接する別の壁パネルの凸部または凹部を嵌め込んで実継手を形成する凹部または凸部を有し、前記上継手の対面側の端部には、隣接する壁パネルの凹部または凸部に嵌り込んで実継手を形成する凸部または凹部を有すること、
ｃ．前記内皮材の、前記上継手の対面側の端部の凸部または凹部は、その上端に、隣接配置される他の壁パネルとの端面に当接可能な立ち上がり片を有すること、
ｄ．前記下継手は、前記陸部に隣接して設けられ、ドリルねじを打ち込んでコーナーパネルを下地材に固定する凹所を有すること、
ｅ．前記凹所は、前記陸部につながる側壁と、該側壁の下端につながり前記ドリルねじの座面を形成する底壁と、該底壁に起立姿勢でつながり下継手の端面を形成する垂直壁部からなること、
ｆ．前記溝部は、前記外皮材の端部につながる傾斜側壁と、一端が該傾斜側壁の下端につながり他端が前記オーバーハング部の下端に該傾斜側壁とは逆勾配でつながる傾斜側壁からなること、
ｇ．前記外皮材、前記内皮材は、亜鉛めっき鋼板、アルミニウム亜鉛合金めっき板、ステンレス鋼板、アルミニウム板、銅板またはそれらの塗装、被覆鋼板から選ばれるいずれか１種からなり、前記芯材は、発泡プラスチック系または鉱物繊維系の断熱材からなること、
ｈ．前記上継手の鉤状片は、前記カーリング部が隣接する壁パネルの下継手に嵌合した際に、該下継手との間で減圧空間を形成するものであること、
ｉ．前記芯材は、該下継手の末端に位置する端面および該上継手の末端に位置する端面を有すること、さらに、
ｊ．前記芯材は、その端面に、前記上継手の基端に向けて迫り出した迫り出し部を有すること、
が課題解決のための具体的手段として好ましい。
【発明の効果】
【０００９】
本発明によれば、上継手のカーリング部を、隣接する壁パネルの下継手に嵌合させ、下継手に、隣接する別の壁パネルの上継手のカーリング部（上継手のカーリング部と同一形状、同一サイズになるもの）を嵌合させるだけのワンタッチ作業でパネル同士を高い連結強度のもとでつなぎ合わせることが可能であり、建築構造物の壁の出隅を効率的に形成することができる。
【００１０】
また、本発明によれば、上継手の継手本体は、外皮材の第１の外側壁部の端部に水平状態を維持したままつながっているため、壁パネルとのつなぎ合わせにおいて、平坦な外表面が形成される。
【００１１】
また、本発明によれば、建材パネルのつなぎ合わせに際して内皮材の凹部が隣接する壁パネルの凸部に嵌り込んで実継手を形成し、内皮材の凸部が隣接する別の壁パネルの凹部に嵌り込んで実継手を形成することになるため、コーナーパネルと壁パネルとの連結強度が高まる。
【００１２】
また、本発明によれば、下継手を構成する陸部に隣接して凹所を設け、この凹所にドリルねじを打ち込むことによりコーナーパネルを下地材に固定することが可能となるため、壁パネルとのつなぎ合わせを完了したのちにおいては、ドリルねじがコーナーパネルの外表面に露出することはなく美観が保たれる。また、ドリルねじの腐食を防止することができる。
【００１３】
また、本発明によれば、凹所を、陸部につながる側壁と、該側壁の下端につながり前記ドリルねじの座面を形成する底壁と、該底壁に起立姿勢でつながり下継手の端面を形成する垂直壁部とで構成することにより、凹所を内樋として活用することが可能となり、水密性、止水性能を向上させることができる。
【００１４】
また、本発明によれば、溝部を、外皮材の端部につながる傾斜側壁と、一端が該傾斜側壁の下端につながり他端がオーバーハング部の下端に該傾斜側壁とは逆勾配でつながる傾斜側壁からなるものとしたことにより、この部位に手指を差し入れてオーバーハング部に手指を引っ掛けることが可能となり、コーナーパネルの運搬時等においてコーナーパネルの落下を回避して安全な作業が行える。
【００１５】
また、本発明によれば、上継手の鉤状片を、隣接する壁パネルの下継手との間で減圧空間を形成するものとしたことにより、カーリング部において浸透圧現象による雨水等の吸い込みが起きたとしても吸い込まれた雨水等を減圧空間を通して効率よく排出することができる。
【００１６】
さらに、本発明によれば、芯材の端面に、上継手の基端に向けて迫り出した迫り出し部を設けることにより芯材の、外皮材からの剥離を抑制することができる。
【図面の簡単な説明】
【００１７】
【図１】本発明にしたがうコーナーパネルの実施の形態を模式的に示した外観斜視図である。
【図２】本発明にしたがうコーナーパネルの実施の形態を模式的に示した外観斜視図である。
【図３】図１、２に示したコーナーパネルの断面を示した図である。
【図４】本発明にしたがうコーナーパネルを用いて隣接する壁パネル、隣接する別の壁パネルの相互において建築構造物の壁の出隅を形成した例の一部分を示した断面図である。
【図５】図４に示した建築構造物の出隅の外観斜視図である。
【図６】本発明にしたがうコーナーパネルを用いて建築構造物の壁の出隅を形成する要領を示した図である。
【図７】本発明にしたがうコーナーパネルを用いて建築構造物の壁の出隅を形成する要領を示した図である。
【図８】本発明にしたがうコーナーパネルを用いて建築構造物の壁の出隅を形成する要領を示した図である。
【図９】本発明にしたがうコーナーパネルを用いて建築構造物の壁の出隅を形成する要領を示した図である。
【図１０】本発明にしたがうコーナーパネルの他の実施の形態を模式的に示した図である。
【図１１】隣接する壁パネル、隣接する別の壁パネルとのつなぎ合わせ状況を示した図である。
【図１２】本発明にしたがうコーナーパネルのさらに他の実施の形態を示した図である。
【図１３】（ａ）は、下継手のオーバーハング部、オーバーハング部と溝部との境界にＲを付した曲げ加工を施した例を示した図であり、（ｂ）は、陸部とオーバーハング部との境界、オーバーハング部、オーバーハング部と溝部との境界に角曲げ加工を施した例を示した図であり、（ｃ）は、陸部とオーバーハング部との境界に角曲げ加工を施し、オーバーハング部、オーバーハング部と溝部との境界にＲ曲げ加工を施した例を示した図である。
【図１４】（ａ）は、上継手の鉤状片、カーリング部にＲを付した曲げ加工を施した例を示した図であり、（ｂ）、（ｃ）は、鉤状片、カーリング部に角曲げ加工を施した例を示した図である。
【図１５】内皮材の要部を示した図である。
【図１６】内皮材の要部を示した図である。
【図１７】従来の出隅構造を模式的に示した図である。
【発明を実施するための形態】
【００１８】
以下、図面を参照して本発明をより具体的に説明する。
図１、図２は、本発明にしたがうコーナーパネルの実施の形態を模式的に示した外観斜視図であり、図３は、図１、２に示したコーナーパネルの断面を示した図である。
【００１９】
また、図４は、本発明にしたがうコーナーパネルを用いて隣接する壁パネル、隣接する別の壁パネルの相互において建築構造物の壁の出隅を形成した例の一部分を示した断面図であり、図５は、その外観斜視図である。
【００２０】
なお、隣接する壁パネルとしては、本発明にしたがうコーナーパネルの下継手と同じ構成からなる下継手を有するものが用いられ、隣接する別の壁パネルとしては、本発明にしたがうコーナーパネルの上継手と同じ構成からなる上継手を有するものが用いられるものとする。
【００２１】
図１〜５における符号１は芯材、２は、建築構造物の壁のコーナー部の外表面を形成する外皮材、３は、柱等の下地材に位置する内皮材である。本発明にしたがうコーナーパネルは、芯材１を、外皮材２、内皮材３によって挟み込んだサンドイッチ構造からなる。
【００２２】
外皮材２は、隣接する壁パネルＰ１の外表面に沿う壁面を形成する第１の外側壁部２ａと、該第1の外側壁部２ａに屈曲部２ｂを介してつながり隣接する別の壁パネルＰ２の外表面に沿う壁面を形成する第２の外側壁部２ｃとを備えたもので構成されている。また、内皮材３は、該第１の外側壁部２ａに沿う第１の内側壁部３ａと、該第１の内側壁部３ａに屈曲部３ｂを介してつながり第２の外側壁部２ｃに沿う第２の内側壁部３ｃとを備えたもので構成されている。
【００２３】
芯材１は、厚さ４０〜１５０ｍｍ程度の発泡プラスチック系あるいは鉱物繊維系の断熱材を用いることができ、外皮材２、内皮材３は、厚さ０．２〜１．０ｍｍ程度の亜鉛めっき鋼板、アルミニウム亜鉛合金めっき板、ステンレス鋼板、アルミニウム板、銅板またはそれらの塗装、被覆鋼板を用いることができる。芯材１の厚さは、７５ｍｍ程度とするのが好ましく、外皮材２、内皮材３としては、厚さ０．５ｍｍ程度なるものを用いるのが好ましい。
【００２４】
また、符号４は、外皮材２の第１の外側壁部２ａの端部に設けられた上継手、５は、外皮材１の第２の外側壁部２ｃの端部に設けられた下継手である。上継手４、下継手５は、外皮材２に一体的につながるものであって、単一の板材にロール成形等の成形加工を施すことにより形成される。
【００２５】
上継手４は、外皮材２の第１の外側壁部２ａの端部につながり隣接する壁パネルＰ１の下継手５′に覆い被さる継手本体４ａと、該継手本体４ａの先端部につながり該継手本体４ａの裏側へと周り込む鉤状片４ｂと、該鉤状片４ｂの先端につながり継手本体４ａおよび鉤状片４ｂの少なくとも一方のスプリングバックにより隣接する壁パネルＰ１の下継手５′に嵌合可能なカーリング部４ｃとを備えている。
【００２６】
カーリング部４ｃは、円形状の断面形状をなす曲げ加工片からなるものを例として示したが、その断面形状は、楕円形状、多角形状あるいは矩形状の断面形状をなすものを適用することも可能であり、図示のものに限定されない。とくに、カーリング部４ｃを円形状の断面形状とする場合には、曲げ半径（Ｒ）５ｍｍ程度とすることができ、これにより、外皮材２としてめっき鋼板が使用されていてもカーリング部４ｃを成形する際にめっき割れを回避することができる。カーリング部４ｃは、それそのものが弾性変形可能となっており、これにより嵌合強度を高めることができるようになっている。
【００２７】
鉤状片４ｂは、隣接する壁パネルＰ１の下継手５′との間で減圧空間ｅを形成する形状を有しており、上継手４と下継手５′との間で浸透圧現象による雨水等の吸い込みが起きたとしてもその吸い込みを断ち切ることができるようになっている（図４参照）。
【００２８】
また、下継手５は、カーリング部４ｃと同一形状、同一サイズになるカーリング部４ｃ′′の入れ込みを可能とする溝部５ａと、該溝部５ａ内に迫り出して該カーリング部４ｃと同一形状、同一サイズになるカーリング部４ｃ′′を嵌合させるオーバーハング部５ｂと、該オーバーハング部５ｂの基端につながり外皮材２の外表面に沿う頂面を形成する陸部５ｃから構成されている。ここに、カーリング部４ｃと同一形状、同一サイズになるカーリング部４ｃ′′とは、隣接する別の壁パネルＰ２に設けられた上継手４′′のカーリング部４ｃ′′をいうものとする。
【００２９】
下継手５の溝部５ａとしては、外皮材２の端部につながる傾斜側壁と、一端が傾斜側壁の下端につながり他端がオーバーハング部５ｂの下端に傾斜側壁とは逆勾配でつながる傾斜側壁からなるものが適用される。
【００３０】
また、符号６は、下継手５の対面側で内皮材３の端部、すなわち、第１の内側壁部３ａの端部に設けられた凹部、７は、上継手４の対面側で内皮材３の端部、すなわち、第２の内側壁部３ｃに設けられた凸部である。凹部６に、隣接する別の壁パネルＰ２の凸部７′′が嵌り込むことにより実継手を形成し、凸部７を、隣接する壁パネルＰ１の凹部６′に嵌め込むことにより実継手を形成する。
【００３１】
凹部６に、隣接する別の壁パネルＰ２の凸部７′′が嵌り込み、凸部７が隣接する壁パネルＰ１の凹部６′に嵌り込むことにより内外二重の連結構造、すなわち、外皮材同士、内皮材同士がそれぞれつながるため、コーナーパネルと壁パネルＰ１、Ｐ２との連結強度を高めることができるようになっている。
【００３２】
また、符号８は、下継手５の陸部５ｃに隣接して設けられた凹所である。凹所８は、ドリルねじ９を打ち込んでコーナーパネルを柱等の下地材に固定するものである。凹所８は、陸部５ｃにつながる側壁８ａと、該側壁８ａの下端につながりドリルねじの座面を形成する底壁８ｂと、該底壁８ｂに起立姿勢でつながり下継手５の端面を形成する垂直壁部８ｃからなっている。
【００３３】
かかる凹所８を設けることにより、隣接する別の壁パネルＰ２との連結状態では、ドリルねじ９が外表面に現れることがなくなり美観が保たれる。また、該凹所８は、内樋として活用することが可能であり、上継手４′′と下継手５との合わせ面から浸透圧現象により雨水等が侵入することがあっても侵入した雨水等を凹所８を通して効率よく排出することができる。
【００３４】
芯材１としては、上継手４の末端に位置する端面１ａおよび下継手５の末端に位置する端面１ｂを有するものを適用するのが好ましく、壁パネルＰ１、Ｐ２とのつなぎ合わせに際して、端面相互間にパッキン等のシール部材ｇを配置、挟持することにより止水性を高めることが可能になるとともに、断熱欠損を起すような隙間が形成されることもなくなる。
【００３５】
芯材１の端面１ａには、上継手４の基端に向けて５〜１０ｍｍ程度に迫り出した迫り出し部１ａ１を設けておくことができる。迫り出し部１ａ１により、芯材１が外皮材２から剥離するのを抑制することができる。迫り出し部１ａ１の迫り出し面は直線状としてもよいしＲ状としてもよい。
【００３６】
本発明にしたがうコーナーパネルを用いて建築構造物の壁の出隅を形成するには、図６〜８に示すように、コーナーパネルの上継手４のカーリング部４ｃを、隣接する壁パネルＰ１の下継手５′の溝部５ａ′に入れ込み、コーナーパネルを引っ張りつつ芯材１の端面１ａを、隣接する壁パネルＰ１の端面１ｂ′に突き合せてパネル同士をつなぎ合わせるとともに、凹所８にドリルねじ９を打ち込んでコーナーパネルそのものを柱等の下地材に固定する。そして、次に、図９に示すように、隣接する別の壁パネルＰ２の上継手４′′を下継手５に嵌合させればよく、これにより外表面が平坦な出隅が形成されることになる。
【００３７】
カーリング部４ｃは、継手本体４ａおよび鉤状片４ｂの少なくとも一方のスプリングバックにより隣接する壁パネルＰ１の下継手５′に嵌合するため、コーナーパネルを壁パネルにワンタッチでつなぎ合わせることが可能であり、施工作業の簡素化が可能となる。
【００３８】
なお、本発明にしたがうコーナーパネルは、上継手４が隣接する壁パネルＰ１の下継手５′に嵌合したとき、その相互間には幅寸法がｗになる目地が形成され、下継手５が隣接する別の壁パネルＰ２の上継手４′′と嵌合したとき、その相互間には幅寸法がｗになる目地が形成される（図４参照）。
【００３９】
本発明にしたがうコーナーパネルは、縦張りにして出隅を形成するものである。また、本発明にしたがコーナーパネルは外皮材、内皮材の折り曲げ方向を反転させることにより入隅を形成することもできる。
【００４０】
図１０は、本発明にしたがうコーナーパネルのさらに他の実施の形態を模式的に示した図であり、図１１は、隣接する壁パネルＰ１、隣接する別の壁パネルＰ２とのつなぎ合わせ状況を示した図である。
【００４１】
図１０に示したコーナーパネルは、上継手４の鉤状片４ｂ、カーリング部４ｃ、下継手５の溝部５ａ、オーバーハング部５ｂ、陸部５ｃ、凹部６、凸部７にそれぞれ角曲げ加工を施し、凹部６を上継手４側に設け、凸部７を下継手５側に設け、凹部６の上端に、隣接配置する壁パネルＰ１の端面１ｂ′に当接可能な立ち上がり片１０を設けたものである。
【００４２】
本発明にしたがうコーナーパネルは、上継手４の鉤状片４ｂ、カーリング部４ｃ、オーバーハング部５ｂ、陸部５ｃ、凹部６、凸部７に角曲げ加工を施すことができる。とくに、凹部６、凸部７については、先端に向けて先細りとなるテーパー形状とするのが好ましく、これにより壁パネルＰ１、Ｐ２との連結強度を高めることができる。
【００４３】
また、立ち上がり片１０により、隣接する壁パネルＰ１との密着性が向上するとともに、壁パネルのつなぎ合わせに際して正確、かつ迅速な位置決めが行える。なお、本発明にしたがうコーナーパネルにおいて上継手４、下継手５の形状が変更された場合、隣接する壁パネルＰ１の下継手５′、隣接する別の壁パネルＰ２の上継手４′′の形状も変更されたものと同じ形状に変更されるものとする。
【００４４】
図１２は、上継手４側に凸部７を設け、該凸部７の上端に立ち上がり片１０を設けた、本発明にしたがうコーナーパネルの他の実施の形態を示した図である。
【００４５】
かかる構成のコーナーパネルも、壁パネルＰ１、Ｐ２との密着性が向上するとともにそのつなぎ合わせに際して正確で迅速な位置決めが行える。
【００４６】
図１３（ａ）〜（ｃ）は、本発明にしたがうコーナーパネルの下継手５を示した図であり、（ａ）は、下継手５のオーバーハング部５ｂ、オーバーハング部５ｂと溝部５ａとの境界にＲを付した曲げ加工を施したものであり、（ｂ）は、陸部５ｃとオーバーハング部５ｂとの境界、オーバーハング部５ｂ、オーバーハング部５ｂと溝部５ａとの境界に角曲げ加工を施したものであり、（ｃ）は、陸部５ｃとオーバーハング部５ｂとの境界に角曲げ加工を施し、オーバーハング部５ｂ、オーバーハング部５ｂと溝部５ａとの境界にＲを付した曲げ加工を施したものである。また、図１４（ａ）〜（ｃ）は、本発明にしたがうコーナーパネルの上継手４を示した図であり、（ａ）は、鉤状片４ｂ、カーリング部４ｃにＲを付した曲げ加工を施したものであり、（ｂ）、（ｃ）は、鉤状片４ｂ、カーリング部４ｃに角曲げ加工を施したものである。
【００４７】
下継手５、上継手４は、図１３（ａ）〜（ｃ）および図１４（ａ）〜（ｃ）において自由に組み合わせることができる。なお、図１３（ａ）〜（ｃ）、図１４（ａ）〜（ｃ）は、下継手５、上継手４の一例を示したものであって、図示のものに限定されるものではない。
【００４８】
内皮材３の、とくに、凹部６の上端には、図１５に示すように、Ｒを付した曲げ加工片３ａを設けておくことができるが、図１６に示すように、起立片３ｂを設けてもよい。
【産業上の利用可能性】
【００４９】
本発明によれば、優れた断熱性、気密性、施工性を確保しながらも、長期にわたって高い止水性を維持し得る耐久性に優れたコーナーパネルが提供できる。
【符号の説明】
【００５０】
１      芯材
１ａ、１ｂ    端面
１ａ１、１ｂ１    迫り出し部
２      外皮材
２ａ    第１の外側壁部
２ｂ    屈曲部
２ｃ    第２の外側壁部
３      内皮材
３ａ    第１の内側壁部
３ｂ    屈曲部
３ｃ    第２の内側壁部
４      上継手
４ａ    継手本体
４ｂ    鉤状片
４ｃ    カーリング部
５      下継手
５ａ    溝部
５ｂ    オーバーハング部
５ｃ    陸部
６      凹部
７      凸部
８      凹所
９      ドリルねじ
１０    立ち上がり片
Ｐ１    隣接する壁パネル
Ｐ２    隣接する別の壁パネル
ｅ      減圧空間
ｇ      シール部材
【図１】
2020094462.tif 000003
【図２】
2020094462.tif 000004
【図３】
2020094462.tif 000005
【図４】
2020094462.tif 000006
【図５】
2020094462.tif 000007
【図６】
2020094462.tif 000008
【図７】
2020094462.tif 000009
【図８】
2020094462.tif 000010
【図９】
2020094462.tif 000011
【図１０】
2020094462.tif 000012
【図１１】
2020094462.tif 000013
【図１２】
2020094462.tif 000014
【図１３】
2020094462.tif 000015
【図１４】
2020094462.tif 000016
【図１５】
2020094462.tif 000017
【図１６】
2020094462.tif 000018
【図１７】
2020094462.tif 000019